(57)【要約】【課題】繊維の太さに影響されることなく布帛の牽引力を確保し、かつ、布帛に与えるダメージが少ない布帛牽引装置を提供することを目的とする。【解決手段】無端状の処理布帛（以下、布帛という）を滞留部と移送管よりなる環状通路に架設して、布帛牽引装置と処理液の噴射により循環移行させて処理するようにした布帛の液流式処理装置において、前記布帛牽引装置を、前記滞留部出口上部と処理液噴射部との間に設けられて布帛の移行方向に対して直交して設けたドラム部２１と、該ドラム部２１を回転する駆動手段とで構成し、前記ドラム部２１には開口部２２をドラム部２１の軸方向に沿って設けるとともに、該開口部２２をドラム部２１の周方向に所定の間隔を有して複数形成したことを特徴とする。【選択図】図３
2006077337.tif 000002
【特許請求の範囲】
【請求項１】
無端状の処理布帛（以下、布帛という）を滞留部と移送管よりなる環状通路に架設して、布帛牽引装置と処理液の噴射により循環移行させて処理するようにした布帛の液流式処理装置において、
前記布帛牽引装置を、前記滞留部出口上部と処理液噴射部との間に設けられて布帛の移行方向に対して直交して設けたドラム部と、該ドラム部を回転する駆動手段とで構成し、
前記ドラム部には開口部をドラム部の軸方向に沿って設けるとともに、該開口部をドラム部の周方向に所定の間隔を有して複数形成したことを特徴とする布帛の液流式処理装置における布帛牽引装置。
【請求項２】
前記開口部が、ドラム部の軸方向に沿ったスリット形状であることを特徴とする請求項１記載の布帛の液流式処理装置における布帛牽引装置。
【発明の詳細な説明】
【技術分野】
【０００１】
本発明は、布帛の液流式処理装置における布帛牽引装置に関する。
【背景技術】
【０００２】
従来、処理布帛（以下、布帛という）を無端状にして処理する液流染色機のバッチ式処理装置において、滞留部出口上方と処理液噴射部の間に、布帛を引き上げるための牽引装置が設けられている。この牽引装置として、従来、駆動装置を具備した図４に示すようなリール１００や図５に示すようなドラム２００が使用されている。
【０００３】
前記のリール１００の形状のものは、両側に設けた円形の側板１０１と、該両側板１０１間に、該側板１０１の中心部ＡからＤ１の半径を有する円周上（仮想線Ｃで示す円）に等間隔で架設された外径２０Ａ乃至２５Ａのパイプ１０２とで形成されたものであり、リール外径２×Ｄ１は２００ｍｍ乃至３００ｍｍである。
【０００４】
前記のドラム２００の形状のものは、両側に設けた円形の側板２０１と、無開口状のドラム部（円筒部）２０２とを同心状で接合したものであり、ドラム部外径（円筒部の外径）Ｄ３は２００ｍｍ乃至３００ｍｍである。
【発明の開示】
【発明が解決しようとする課題】
【０００５】
前記従来のリール１００においては、各パイプ１０２間の間隔Ｄ２が大きく、その開口空間１０３が広いことから、開口空間１０３により布帛１０４の水分が除かれすぎるため、リール１００と布帛１０４とのすべりが少なく布帛１０４の送りの力は強い。
【０００６】
しかし、パイプ１０２の相互間の開口空間１０３が広く、かつ、布帛１０４が各パイプ１０２と線で接触しているため、布帛１０４は各パイプ１０２で図４に示すように折れ曲がり、リール１００により布帛１０４が牽引されるとき、布帛１０４の表面がしごかれる。また、布帛１０４とリール１００との接触面積が少ないため、リール１００から布帛１０４にかかるテンションが高い。このテンションの高さやしごきが、繊維の極めて細いデリケートな布帛においてはシワやスレの原因となり布帛の品位を損なう問題点がある。
【０００７】
一方、無開口状のドラム部２０２においては、ドラム部２０２の表面全体が布帛と接するため、接触面積が大きく、ドラム部２０２の布帛にかかるテンションは抑えられ、繊維の細いデリケートな布帛については処理することができる。
【０００８】
しかし、このドラム２００におけるドラム部２０２においては、布帛保有の液と、引き上げの持ち込み液と、布帛とドラム部間の空気が除かれないために、ドラム部２０２と布帛との間に水膜が形成されてしまい、この水膜によりドラム２００の回転力が布帛に伝わらずスリップが生じ、布帛の牽引力が弱い問題がある。また、繊維の太い通常の布帛においては、スリップの発生が不規則で布帛の送り速度とドラムの回転速度の関係が安定せず、布帛とドラム部２０２の接触面において布帛が擦られてスレやシワの原因となり、処理できる繊維の太さが限定され汎用性の点において問題点がある。
【０００９】
そこで、本発明は、繊維の太さに影響されることなく布帛の牽引力を確保し、かつ、布帛に与えるダメージが少ない布帛牽引装置を提供することを目的とするものである。
【課題を解決するための手段】
【００１０】
前記の課題を解決するために、請求項１記載の発明は、無端状の処理布帛（以下、布帛という）を滞留部と移送管よりなる環状通路に架設して、布帛牽引装置と処理液の噴射により循環移行させて処理するようにした布帛の液流式処理装置において、
前記布帛牽引装置を、前記滞留部出口上部と処理液噴射部との間に設けられて布帛の移行方向に対して直交して設けたドラム部と、該ドラム部を回転する駆動手段とで構成し、
前記ドラム部には開口部をドラム部の軸方向に沿って設けるとともに、該開口部をドラム部の周方向に所定の間隔を有して複数形成したことを特徴とするものである。
【００１１】
請求項２記載の発明は、請求項１記載の発明において、前記開口部が、ドラム部の軸方向に沿ったスリット形状であることを特徴とするものである。
【発明の効果】
【００１２】
本発明によれば、布帛牽引装置のドラム部に開口部を設けたことにより、布帛が布帛牽引装置のドラム部との接触面積を大きく確保しつつ、布帛からの水分を除くことができる。
【００１３】
そのため、従来のリールよりも布帛と布帛牽引装置のドラム部との接触面積を大きくすることで、ドラム部から布帛にかかるテンションを軽減でき、布帛におけるスレやシワの発生や程度を緩和することができ、布帛の商品価値の低下を抑えることができる。
【００１４】
また、布帛から水分が除かれるため、従来のドラムよりも布帛と布帛牽引装置のドラム部との間での水膜の形成が抑制され、スリップの発生を抑えて繊維の太さに影響されることなく確実に安定して布帛を牽引することができる。また、スリップの発生を抑えることができるため、布帛と布帛牽引装置のドラム部との擦れをおさえることができ、布帛のスレやシワの発生を抑えることができる。
【００１５】
したがって、リールの優位性とドラムの優位性を兼ね備えた牽引が行え、種々な布帛に対する汎用性が高く、かつ、布帛の品位を向上させることができる。
【発明を実施するための最良の形態】
【００１６】
本発明を実施するための最良の形態を図１乃至図３に示す実施例に基づいて説明する。
図１は、布帛の液流式処理装置１の略側断面図を示すものである。
【００１７】
布帛の液流式処理装置１は滞留槽２を有し、該滞留槽２は、滞留部２ａと該滞溜部２ａの出口に設けられた斜面部２ｂで構成されている。その斜面部２ｂの出口、すなわち、滞留部出口上方には、ボックス３が設けられ、該ボックス３の下部には処理液噴射部４が設けられている。ボックス３の内部には、布帛牽引部材５が設けられている。
【００１８】
該布帛牽引部材５は、変速モーターなどの駆動手段Ｍにより、図１において反時計方向に回転するようになっている。この布帛牽引部材５と駆動手段Ｍにより布帛牽引装置５Ａを構成している。
【００１９】
移送管６の上流側は、前記処理液噴射部４の下部に接続され、下流側は滞留槽２の入口部２ｃに接続されている。滞留槽２とボックス３と処理液噴射部４と移送管６により環状の処理通路を形成している。
【００２０】
無端状に結合された処理布帛７（以下、布帛という）は、滞溜部２ａの処理液８内で蛇行状に移行しながら一時滞留し、変速モーター等の駆動手段Ｍで駆動される布帛牽引部材５の回転により滞溜部２ａより斜面部２ｂに沿って引き上げられ、処理液噴射部４より噴射された処理液８と共に移送管６内を移動し、下流端である滞留槽入口部２ｃより滞留槽２の滞溜部２ａに再び送り込まれて循環する。
【００２１】
処理液８は、滞留部２ａの底部２ｄより、処理液の吸い込み配管１０を介して、循環ポンプ１１に吸い込まれ吐出配管１２を通って熱交換器１３に入り所要温度に加熱昇温され、吐出配管１４を介して処理液噴射部４に入り、噴出圧力が流量調節弁１５にて調節されて布帛７に噴射される。
【００２２】
処理液８は、処理液噴射部４より図１において下向きに噴射された後、移送管６を通り滞留槽入口部２ｃより滞留槽２の滞留部２ａに戻り、この処理液８の流れとともに布帛７が移送される。
【００２３】
次に、前記布帛牽引装置５Ａの布帛牽引部材５について図２及び図３により説明する。
布帛牽引部材５は、一対の円形の側板２０とこれらの間に設けられた円筒状のドラム部（牽引部）２１からなり、ドラム部２１は側板２０の中心と同芯の円状に形成され、かつ、該ドラム部２１にはドラム部２１の内外に貫通する開口部（隙間）２２が、ドラム部２１の軸方向に、つまり、布帛７の進行方向と直交する方向に設けられている。本実施例においては、開口部２２がドラム部２１の軸方向に長いスリット状に形成され、かつ、開口部２２は円形側板２０、２０間の全長にわたって設けられているが、布帛７と接触する部分にのみ開口部２２を設けても良い。
【００２４】
前記開口部２２は、ドラム部２１の周方向において複数本、適宜間隔を有して設けられている。
【００２５】
なお、ドラム部２１の外径Ｄ４は、任意に設定するものであるが、本実施例においては２００ｍｍ乃至３００ｍｍに設定した。
【００２６】
スリット状の開口部２２の隙間Ｄ５は、任意に設定するものであるが、３ｍｍ乃至２０ｍｍ、好ましくは、６ｍｍ乃至１３ｍｍであり、本実施例においては、１０ｍｍに設定した。スリット状の開口部２２の隙間Ｄ５を２０ｍｍよりも広くすると、布帛７が開口端２２ａにおいて、折れ曲がり、この状態で布帛７と布帛牽引部材５のドラム部２１との間でスリップが起きると、開口端２２ａで布帛７を擦ってしまい布帛７のスレやシワの原因となる。また、隙間Ｄ５を３ｍｍよりも狭くすると、開口部２２からの水分の除去が不十分で布帛７と布帛牽引部材５のドラム部２１との間に水膜が生じるおそれがあり、水膜が生じると布帛牽引部材５による牽引力が布帛７に伝わらずスリップが生じてしまい布帛７を牽引する力が弱くなるからである。
【００２７】
また、開口部２２の周方向の数は、６乃至１０本が望ましく、本実施例においては８本に設定した。開口部２２の数が多すぎると、布帛牽引部材５のドラム部２１と布帛７との接触面積が少なくなる。そのため、布帛７が開口部２２の開口端部２２ａで折れ曲がり布帛７が布帛牽引部材５でしごかれたり、布帛牽引部材５から布帛７にかかるテンションが分散しないために、繊維の細いデリケートな布帛７においてはスレやシワの原因となり商品価値が低下してしまう。また、開口部２２の数が少なすぎると布帛７からの水分の除去が不十分で布帛７と布帛牽引装置５のドラム部２１間に水膜が生じるおそれがあり、前記のような問題が生じる。そこで、実施例のようにドラム部２１の直径Ｄ４を前記のように設定した場合には、開口部２２の本数は前記の値が望ましい。
【００２８】
また、開口部２２の開口端２２ａが角状に形成されていると、その角により布帛７がしごかれる等の損傷をうけるおそれがあるために、実施例においては開口端２２ａを曲面に形成して、布帛７に損傷を与えることを抑えている。
【００２９】
前記のように開口部２２を有するドラム部２１を形成するために、本実施例では、図３に示すように、前記の中心Ａを中心とする半径の円弧からなる円弧部２１ａと、該円弧部２１ａの周方向両端を内側へ折曲した折曲部２１ｂを金属板から一体形成した分割体２１ｃを複数、実施例では８枚を、周方向に配置してドラム部（牽引部）２１を構成している。そして各分割体２１ｃの両端を側板２０に溶接にて固着している。
【００３０】
以上の構造により、布帛７を牽引する際には、布帛７と布帛牽引部材５のドラム部２１との接触面積をできるだけ大きく確保しつつ、布帛７の水分を除くことができる。
【００３１】
従来のドラム２００ではドラム部２０２と布帛との間に水膜が生じるため、安定した牽引ができないために、布帛とドラム部２０２との間のスリップによりシワやスレが生じ、処理することができない布帛の繊維の太さが存在した。しかし、本発明の布帛牽引部材５を用いることにより、布帛７から水分が除かれ布帛７と布帛牽引部材５のドラム部２１との間に、スリップを生じるような水膜が生じず、布帛の繊維の太さに影響されることなく、例えばナイロン・ポリエステルなどの織物や混紡織物、ナイロン・ポリエステルなどの編物や混紡編物、複合素材繊維の織物や編物等の布帛においても牽引力を確保できる。
【００３２】
また、従来のリール１００では、布帛がリールに線接触してシワやスレの発生が大きいが、本発明においてはリールよりも広い接触面積で牽引できるため、布帛７のシワやスレの発生や程度を緩和することができる。
【００３３】
更に、繊維の極めて細いデリケートな布帛においてもスレやシワの発生や程度を緩和することができる。
【００３４】
したがって、本発明においては、前記従来の無開口状のドラムとリールの長所を生かし、かつ、無開口状のドラムとリールの短所を除く機能を有し、種々な布帛に対する汎用性が高く、かつ、品位の良い布帛を提供できる。
【００３５】
前記布帛牽引部材５の駆動手段Ｍには、布帛牽引部材５の回転数を制御するインバーターと、ドラム部２１の速度に設定された回転のトルク調整を行なう回転トルク調整器を有する。なお、インバーター又はトルク調整器のいずれか一つのみを有しても良い。また、インバーター及びトルク調整器を有しなくても良い。
【００３６】
インバーターやトルク調整器を有することにより、布帛７と布帛牽引部材５のドラム部２１との間のスリップを一層抑えることができ、繊維の極めて細いデリケートな布帛等におけるスレやシワの発生や程度をより一層緩和することができる。
【図面の簡単な説明】
【００３７】
【図１】本発明の布帛の液流式処理装置の略側断面図。
【図２】本発明の布帛牽引部材を、その軸方向と直交した側からみた図。
【図３】図２におけるＢ−Ｂ線断面図。
【図４】従来の布帛牽引装置であるリールの軸方向に直交した断面図。
【図５】従来の布帛牽引装置であるロールの軸方向に直交した断面図。
【符号の説明】
【００３８】
４      処理液噴射部
５Ａ    布帛牽引装置
７      布帛
２１    ドラム部
２２    開口部
２２ａ  開口端        
【図１】
2006077337.tif 000003
【図２】
2006077337.tif 000004
【図３】
2006077337.tif 000005
【図４】
2006077337.tif 000006
【図５】
2006077337.tif 000007